(57)【要約】【課題】従来の空気式の床暖房は、床下に特別に空間を構成し、温めた空気を送風する装置も、別に設置しなければならず、コストが高いものになっていた。【解決手段】仕上げ床材３と根太材５と厚いベニヤ板７に囲まれた従来の空間１３を利用し、根太材に連通孔１５を形成し、温風１７が流通する空間にする。温風１７を供給する強制給排気式温風暖房機２５は、供給の方向を切り換えて、室内の暖房と床下の暖房が選択できる。すなわち、暖房機の筐体２７内へ室内の空気３１を吸い込む室内吸込孔４７及び室内へ温風１７を吐き出す室内吐出孔４９を開閉する室内孔開閉手段と、筐体２７内へ床下の空間の空気３１を吸い込む空間吸込孔５１及び筐体２７内から床下の空間１３へ温風１７を吐き出す空間吐出孔５７とを開閉する空間孔開閉手段と、を有し、開閉制御手段により、室内孔開閉手段を開き又は閉じるときは、逆に空間孔開閉手段を閉じ又は開く。【選択図】図１
2004347184.tif 000002
【特許請求の範囲】
【請求項１】
建物の室内に面する表面的材料と、この表面的材料を裏側からほぼ等間隔の複数で支持する線的材料と、これら複数の線的材料へさらに裏側から接する裏面的材料と、前記線的材料に開けられた連通孔と、前記表面的材料、前記線的材料、及び前記裏面的材料によって囲まれて形成され前記連通孔により連通される空間と、この空間に温風を循環して供給する温風発生手段と、を有することを特徴とする暖房システム。
【請求項２】
前記表面的材料は仕上げ床材であり、前記線的材料は根太材であり、裏面的材料は厚いベニヤ板であり、前記温風発生手段は強制給排気式温風暖房機であることを特徴とする請求項１に記載の暖房システム。
【請求項３】
前記表面的材料は仕上げ床材であり、前記線的材料は根太材であり、裏面的材料は前記根太材が載置されるコンクリートべた基礎の上に形成された発泡ウレタン材であり、前記温風発生手段は強制給排気式温風暖房機であることを特徴とする請求項１に記載の暖房システム。
【請求項４】
前記表面的材料は仕上げ屋根材であり、前記線的材料は垂木であり、裏面的材料は厚いベニヤ板であり、前記温風発生手段は強制給排気式温風暖房機であることを特徴とする請求項１に記載の暖房システム。
【請求項５】
前記表面的材料と前記線的材料の間には、両者の接触面積を小さくし、これにより前記両者の間に生じた隙間と前記空間とが連通できる平面形状を有する支持層材が配置されることを特徴とする請求項１、２、３、又は４に記載の暖房システム。
【請求項６】
前記強制給排気式温風暖房機は、室内の暖房と床下の暖房が選択できるよう温風の方向を切り換える切換手段を有することを特徴とする請求項２、３，４、又は５に記載の暖房システム。
【請求項７】
前記切換手段は、温風が発生する暖房機の筐体内へ室内の空気を吸い込む室内吸込孔と、前記筐体内から室内へ温風を吐き出す室内吐出孔と、暖房機の筐体内へ前記空間の空気を吸い込む空間吸込孔と、前記筐体内から前記空間へ温風を吐き出す空間吐出孔と、前記室内吸込孔及び前記室内吐出孔を開閉する室内孔開閉手段と、前記空間吸込孔及び前記空間吐出孔を開閉する空間孔開閉手段と、前記室内孔開閉手段を開き又は閉じるときは、逆に空間孔開閉手段を閉じ又は開く開閉制御機構と、を備えたことを特徴とする請求項６に記載の暖房システム。
【発明の詳細な説明】
【０００１】
【発明の属する技術分野】
この発明は、建物の暖房システムに関し、特に床や天井裏に温風を送って暖房を行うシステムに関する。
【０００２】
【従来の技術】
従来の空気式の床暖房は、温めた空気を送風するための空間を、床下に特別に構成し、また、温めた空気を送風する装置も、室内の空気を温める装置以外に、別に設置していた。
【０００３】
【発明が解決しようとする課題】
しかしながら、従来の空気式の床暖房は、床下に特別に空間を構成しなくてはならず、温めた空気を送風する装置も、別に設置しなければならず、コストが高いものになっていた。
この発明は、以上の課題を解決するためになされたもので、特別の空間や別の装置を必要とせず、コストを抑えることができる暖房システムを提供することをを目的とする。
【０００４】
【課題を解決するための手段】
以上の課題を解決するために、第一発明は、建物の室内に面する表面的材料と、この表面的材料を裏側からほぼ等間隔の複数で支持する線的材料と、これら複数の線的材料へさらに裏側から接する裏面的材料と、前記線的材料に開けられた連通孔と、前記表面的材料、前記線的材料、及び前記裏面的材料によって囲まれて形成され前記連通孔により連通される空間と、この空間に温風を循環して供給する温風発生手段と、を有することを特徴とする暖房システムである。
【０００５】
第二発明は、さらに、前記表面的材料は仕上げ床材であり、前記線的材料は根太材であり、裏面的材料は厚いベニヤ板であり、前記温風発生手段は強制給排気式温風暖房機であることを特徴とする暖房システムである。
第三発明は、さらに、前記表面的材料は仕上げ床材であり、前記線的材料は根太材であり、裏面的材料は前記根太材が載置されるコンクリートべた基礎の上に形成された発泡ウレタン材であり、前記温風発生手段は強制給排気式温風暖房機であることを特徴とする暖房システムである。
第四発明は、さらに、前記表面的材料は仕上げ屋根材であり、前記線的材料は垂木であり、裏面的材料は厚いベニヤ板であり、前記温風発生手段は強制給排気式温風暖房機であることを特徴とする暖房システムである。
【０００６】
第五発明は、さらに、前記表面的材料と前記線的材料の間には、両者の接触面積を小さくし、これにより前記両者の間に生じた隙間と前記空間とが連通できる平面形状を有する支持層材が配置されることを特徴とする暖房システムである。
第六発明は、さらに、前記強制給排気式温風暖房機は、室内の暖房と床下の暖房が選択できるよう温風の方向を切り換える切換手段を有することを特徴とする暖房システムである。
【０００７】
第七発明は、さらに、前記切換手段は、温風が発生する暖房機の筐体内へ室内の空気を吸い込む室内吸込孔と、前記筐体内から室内へ温風を吐き出す室内吐出孔と、暖房機の筐体内へ前記空間の空気を吸い込む空間吸込孔と、前記筐体内から前記空間へ温風を吐き出す空間吐出孔と、前記室内吸込孔及び前記室内吐出孔を開閉する室内孔開閉手段と、前記空間吸込孔及び前記空間吐出孔を開閉する空間孔開閉手段と、前記室内孔開閉手段を開き又は閉じるときは、逆に空間孔開閉手段を閉じ又は開く開閉制御機構と、を備えたことを特徴とする請求項６に記載の暖房システム。前記強制給排気式温風暖房機は、温風が発生する暖房機の筐体内へ室内の空気を吸い込む室内吸込孔と、前記筐体内から室内へ温風を吐き出す室内吐出孔と、暖房機の筐体内へ前記空間の空気を吸い込む空間吸込孔と、前記筐体内から前記空間へ温風を吐き出す空間吐出孔と、前記室内吸込孔及び前記室内吐出孔を開閉する室内孔開閉手段と、前記空間吸込孔及び前記空間吐出孔を開閉する空間孔開閉手段と、前記室内孔開閉手段を開き又は閉じるときは、逆に空間孔開閉手段を閉じ又は開く開閉制御機構と、を備えたことを特徴とする暖房システムである。
【０００８】
【発明の実施の形態】
この発明の第一実施形態を、図１〜図７に示す。
この第一実施形態では、床暖房を行う。
すなわち、図１〜図３に示すように、建物１の室内に面する表面的材料としての仕上げ床材３を裏側から、ほぼ等間隔の複数で配置される線的材料である木製の根太材５が、支持する。これら複数の根太材５へ、さらに裏側から、裏面的材料である厚いベニヤ板７が接する。厚いベニヤ板７の裏側の縁部は、木製大引９で支持される。木製大引９は、コンクリート基礎１１によって支持される。仕上げ床材３と根太材５と厚いベニヤ板７とによって複数の独立した空間１３が形成される。
そして図４、図５に示すように、根太材５に連通孔１５が開けられることで、各空間１３は連通し、後述する温風１７が流通し循環できる。
【０００９】
図２に示すように、温風が循環する循環路は以下のように形成される。すなわち、図の上を北にして、東西に長い根太材５が９本南北に配置され、これらの中央に上下に長い仕切り根太材６が１本配置されることで、合計１６の仕切られた空間１３が形成される。そして、各根太材５には、東西の両端２箇所、又は中央の２箇所に連通孔１５が、千鳥状に設けられることで、これら１６の空間１３は連通され、図中の連続Ｓ字状の鎖線で示すような温風１７の循環が可能になる。なお、室内の隅の仕上げ床材３には、開閉蓋１８が形成され、床下の温風を室内側へ開放することもできる。
また、仕上げ床材３と根太材５の間には、支持層材として硬質ゴムパッキン１９が配置され、よって両者の接触面積を小さくする。また、硬質ゴムパッキン１９の平面形状は、根太材５の上に載せられる細長い矩形の両縁部に、半円形状の切欠２１が千鳥状に形成される。これにより平面形状は閉じた形状をなさず、仕上げ床材３と根太材５の間に生じた隙間２３と前記空間１３とが連通でき、よって温風を隙間２３へ導け、温度ムラをなくせる。
【００１０】
以上のような仕上げ床材３を有する室内の端には、前記空間１３に温風１７を循環して供給する温風発生手段としての強制給排気式温風暖房機２５が設置される。
図６に示すように、この強制給排気式温風暖房機２５は、筐体２７内で、給気菅２９により供給された室外の空気３１と、図示しない室外の石油タンクから、図示しない燃料ポンプにより供給された石油とが、燃料ファン３３によって吸い込まれて混合され、図示しない点火プラグにより点火され、上方の燃焼部３５で燃焼を促進され、さらに上方の燃焼室３７で十分に燃焼する。燃焼した高温の排気３９は、面積が大きな熱交換器４１を通り、排気管４３から室外へ排気３９される。この排気管４３は給気菅２９内部に形成され、これにより排気３９は、前記供給される室外の空気３１をあらかじめ暖める。
【００１１】
そして、筐体２７内の下方に温風ファン４５が設けられて、筐体２７の前面下方に形成された室内吸込孔４７から筐体２７内へ、室内の空気３２を吸い込む。この吸い込まれた空気３２は、筐体２７内で、高温になる燃料ファン３３、燃焼部３５、燃焼室３７、及び熱交換器４１の外周面に接触しながら温められて上昇し、筐体２７の前面上方に形成された室内吐出孔４９から、室内へ温風１７を吐き出される。
【００１２】
また図７に示すように、筐体２７の一方の側面上方には、空間吸込孔５１が形成され、吸込管５３を介して、仕上げ床材３の開口５５に接続され、仕上げ床材３下の空間１３の冷たい空気３２を吸い込む。さらに、筐体２７の他方の側面上方には、空間吐出孔５７が形成され、吐出管５９を介して、仕上げ床材３の他の開口５６に接続され、仕上げ床材３下の空間１３へ温められた空気３２を温風１７として吐出する。
【００１３】
そして、室内吸込孔及び室内吐出孔４９の内側には、これらを開閉する室内孔開閉手段として、９０度回動する細いフィン６１が、複数列設けられ、図示しない連動機構により連動して開閉動作を行う。同様に、空間吸込孔及び空間吐出孔５７の内側には、これらを開閉する空間孔開閉手段として、９０度回動するバタフライ弁６３が設けられ、図示しない連動機構により連動して開閉動作を行う。
【００１４】
図示しない開閉制御機構は、図示しないスイッチが室内の暖房側に入れられると、図示しないソレノイドが作動して前記連動機構の動作を制御し、フィン６１を開き、逆にバタフライ弁６３を閉じる。また、図示しないスイッチが床下の暖房側に入れられると、図示しないソレノイドが非作動になり、図示しない復帰バネが働いて前記連動機構の動作を制御し、フィン６１を閉じ、逆にバタフライ弁６３を開く。
【００１５】
（実施形態の作用効果）
以上の実施形態によれば、室内に面する表面的材料である仕上げ床材３、線的材料である根太材５、及び裏面的材料である厚いベニヤ板７によって囲まれて形成される空間を利用し、根太材５に開けられた連通孔１５により温風１７が循環する空間１３が得られるので、従来のように床下に特別に空間を構成しなくてもよく、コストを抑えることができる。
【００１６】
さらに、仕上げ床材３と根太材５の間には、支持層材である硬質ゴムパッキン１９が配置されることで、仕上げ床材３と根太材５の接触面積を小さくし、さらに仕上げ床材３と根太材５の間に生じた隙間２３と前記形成された空間１３とが連通できるので、仕上げ床材３に生じる温度ムラを小さくできる。また、硬質ゴムパッキン１９により、床のきしみ音を防止する効果もある。
【００１７】
さらに、強制給排気式温風暖房機２５は、室内の暖房と床下の暖房が選択できるので、従来のように温めた空気３２を送風する装置を別に設置しなければならないということがなく、コストを抑えることができる。
（他の実施形態）
以上の実施形態では、支持層材である硬質ゴムパッキン１９の平面形状は、根太材５の上に載せられる細長い矩形の両縁部に、半円形状の切欠２１が千鳥状に形成されるものであたが、他の実施形態では、半円形状でなく三角や四角、楕円などの他の形状でもよく、また、千鳥形状でなく、左右対称の形成でも良い。
【００１８】
また、以上の実施形態では、コンクリート基礎１１は建物１の周囲で地面から上方にせりあがった形状をなすが、他の実施形態では、図８に示すように、地面とほぼ同じく平らなコンクリートべた基礎６５であってもよい。すなわち、表面的材料は仕上げ床材３であり、前記線的材料は根太材５であり、裏面的材料は前記根太材５が載置されるコンクリートべた基礎６５の上に形成された発泡ウレタン材６７であっても良い。
【００１９】
また、以上の実施形態では、暖房システムは床暖房をおこなうものであったが、他の実施形態では、図９に示すように、天井の暖房をおこなうものであっても良い。すなわち、表面的材料は仕上げ裏打材６９であり、線的材料は垂木７１であり、裏面的材料は屋根材７３であっても良い。
【００２０】
また、以上の実施形態では、温風発生手段は室内の暖房と床下の暖房が選択できる強制給排気式温風暖房機２５であったが、他の実施形態では、図１０に示すように、床下暖房専用の強制給排気式温風暖房機７５であっても良い。
なお、各図において、同様の部分については同一の符号を付す。
また、以上の実施形態では、開閉蓋１８が室内の隅にが形成されているが、他の実施形態では、部屋内に設置してあるコタツの真下に形成することもできる。
【００２１】
【発明の効果】
以上説明したように、第一、第二、第三、第四、第五、第六、又は第七発明によれば、室内に面する表面的材料、線的材料、及び裏面的材料によって囲まれて形成される空間を利用し、線的材料に開けられた連通孔により温風が循環する空間が得られるので、床下に特別に空間を構成しなくてもよく、コストを抑えることができる。
【００２２】
第五、第六、又は第七発明によれば、さらに、表面的材料と線的材料の間には、支持層材が配置されることで両者の接触面積を小さくし、これにより両者の間に生じた隙間と前記形成された空間とが連通できるので、表面的材料に生じる温度ムラを小さくできる。
【００２３】
第六、又は第七発明によれば、さらに、強制給排気式温風暖房機は、切換手段により温風の方向を切り換えて、室内の暖房と床下の暖房が選択できるので、温めた空気を送風する装置を別に設置しなければならないということがなく、コストを抑えることができる。
【００２４】
第七発明によれば、さらに、強制給排気式温風暖房機の切換手段は、開閉制御機構により、室内孔開閉手段を開き又は閉じるときは逆に空間孔開閉手段を閉じ又は開くという簡単な構造により得られ、コストを抑えることができる。
【図面の簡単な説明】
【図１】この発明の第一実施形態にかかる暖房システムを備えた建物の一部を切り欠いて示す斜視図である。
【図２】図１の建物の床部分を示して、床下の温風の流れを示す平面図である。
【図３】図２の床部分の一部を拡大して示す拡大断面図である。
【図４】図３の部材である根太材に開けられた連通孔を示す斜視図である。
【図５】図３の部材である根太材の上への支持層材の配置を示すもので、（Ａ）は根太材、（Ｂ）は支持層材、（Ｃ）は上に支持層材が配置された根太材を示す斜視図である。
【図６】図１又は２の暖房システムに用いられる強制給排気式温風暖房機の縦断面図である。
【図７】図６の強制給排気式温風暖房機の横断面図である。
【図８】この発明の第二実施形態にかかる暖房システムを示し、第一実施形態の図３に相当する図である。
【図９】この発明の第三実施形態にかかる暖房システムを示し、第一実施形態の図３に相当する図である。
【図１０】この発明の第四実施形態にかかる暖房システムを示し、床下暖房専用の強制給排気式温風暖房機を示す側面図である。
【符号の説明】
１…建物、３…床材、５…根太材、７…厚いベニヤ板、９…木製大引、１１…コンクリート基礎、１３…空間、１５…連通孔、１７…温風、１８・・開閉蓋、１９…硬質ゴムパッキン、２１…切欠、２３…隙間、２５、７５…強制給排気式温風暖房機、２７…筐体、２９…給気菅、３１・・室外の空気、３２…室内の空気、３３…燃料ファン、３５…燃焼部、３７…燃焼室、３９…排気、４１…熱交換器、４３…排気管、４５…温風ファン、４７…室内吸込孔、４９…室内吐出孔、５１…空間吸込孔、５３…吸込管、５５、５６…開口、５７…空間吐出孔、５９…吐出管、６１…フィン、６３…バタフライ弁、６５…基礎、６７…発泡ウレタン材、６９…仕上げ裏打材、７１…垂木、７３・・屋根材。
【図１】
2004347184.tif 000003
【図２】
2004347184.tif 000004
【図３】
2004347184.tif 000005
【図４】
2004347184.tif 000006
【図５】
2004347184.tif 000007
【図６】
2004347184.tif 000008
【図７】
2004347184.tif 000009
【図８】
2004347184.tif 000010
【図９】
2004347184.tif 000011
【図１０】
2004347184.tif 000012